(57)【要約】【課題】電源電圧を与えられれば、特定の色に近似した色の光を発することができる発光素子を提供する。【解決手段】発光素子１０は、外部からＭＣＵ１５に書き込み命令が与えられると、各ＬＥＤチップ１１〜１３の駆動電流値をフラッシュメモリ１６に書き込むことができる。各ＬＥＤチップ１１〜１３の駆動電流値をフラッシュメモリ１６に書き込んでおけば、発光素子１０のリード２１，２２に電源電圧を与えるだけで、ＭＣＵ１５は、フラッシュメモリ１６から各ＬＥＤチップ１１〜１３の駆動電流値を読み出し、読み出した駆動電流値をＬＥＤドライバ１４に与える。このようにして、発光素子１０は、駆動電流をそれぞれ各ＬＥＤチップ１１〜１３に供給するので、所望の色の光を発することができる。【選択図】図１
2011222542.tif 000002
【特許請求の範囲】
【請求項１】
複数のＬＥＤを同時に点灯することによって発光色を調整する発光素子であって、
前記複数のＬＥＤのそれぞれに駆動電流を供給する駆動部と、
前記駆動電流の電流値に相当する値を格納する不揮発性メモリと、
前記不揮発性メモリに格納された前記駆動電流の電流値に相当する値を読み出して前記駆動部に与える制御部と、
前記駆動部、前記不揮発性メモリおよび前記制御部に直流電源電圧を与える２本のリードとを備え、
前記制御部は、前記２本のリードに前記直流電源電圧が与えられると、前記不揮発性メモリから前記駆動電流の電流値に相当する値を読み出して前記駆動電流の電流値を求め、求めた前記駆動電流の電流値を前記駆動部に与え、
前記駆動部は、前記制御部から与えられた前記駆動電流の電流値に基づいて前記複数のＬＥＤのそれぞれに前記駆動電流を供給することを特徴とする、発光素子。
【請求項２】
前記複数のＬＥＤのそれぞれに前記駆動電流の電流値を表わす電流値信号が時分割で外部から与えられる１本のリードをさらに備え、
前記不揮発性メモリは書き換え可能な不揮発性メモリであり、
前記制御部は、外部から前記１本のリードに与えられる制御信号に基づいて、時分割で与えられた前記電流値信号から求めた前記駆動電流の電流値に相当する値を前記不揮発性メモリに格納することを特徴とする、請求項１に記載の発光素子。
【請求項３】
前記複数のＬＥＤのそれぞれに前記駆動電流の電流値を表わす電流値信号を外部から与えるために、前記複数のＬＥＤにそれぞれ対応させて設けられた複数本のリードをさらに備え、
前記不揮発性メモリは書き換え可能な不揮発性メモリであり、
前記制御部は、外部から前記複数本のリードのいずれかに与えられる制御信号に基づいて、前記複数本のリードにそれぞれ与えられた前記電流値信号から求めた前記駆動電流の電流値に相当する値を前記不揮発性メモリに格納することを特徴とする、請求項１に記載の発光素子。
【請求項４】
前記１本のリードおよび前記複数本のリードの長さは、前記２本のリードの長さよりも短いことを特徴とする、請求項２または３に記載の発光素子。
【請求項５】
前記２本のリードを介して与えられる直流電源電圧のいずれかに重畳させて外部から与えられ、前記駆動電流の電流値を表わす電流値信号を前記直流電源電圧から分離し、分離した前記電流値信号を前記制御部に与えるとともに、分離した前記直流電源電圧を前記駆動部，前記不揮発性メモリおよび前記制御部に与える分配部をさらに備え、
前記不揮発性メモリは書き換え可能な不揮発性メモリであり、
前記制御部は、外部から前記２本のリードのいずれかに与えられる制御信号に基づいて、分離された前記電流値信号から求めた前記駆動電流の電流値に相当する値を前記不揮発性メモリに格納することを特徴とする、請求項１に記載の発光素子。
【請求項６】
前記電流値信号は、前記直流電源電圧のうちマイナス側の直流電源電圧に重畳されることを特徴とする、請求項５に記載の発光素子。
【請求項７】
外部から送信される、前記駆動電流の電流値を表わす電流値信号を含む電波を受信するアンテナと、
前記アンテナによって受信された前記電波から前記電流値信号を分離し、分離した前記電流値信号を前記制御部に与える受信部とをさらに備え、
前記不揮発性メモリは書き換え可能な不揮発性メモリであり、
前記制御部は、外部から前記アンテナを介して与えられる制御信号に基づいて、分離された前記電流値信号から求めた前記駆動電流の電流値に相当する値を前記不揮発性メモリに格納することを特徴とする、請求項１に記載の発光素子。
【請求項８】
前記書き換え可能な不揮発性メモリはフラッシュメモリであることを特徴とする、請求項２から７のいずれか１項に記載の発光素子。
【請求項９】
前記不揮発性メモリは書き換え不能なメモリであることを特徴とする、請求項１に記載の発光素子。
【請求項１０】
前記複数のＬＥＤは、
２個の赤色ＬＥＤと、１個の緑色ＬＥＤと、１個の青色ＬＥＤとを含み、
２個の赤色ＬＥＤは直列に接続されていることを特徴とする、請求項１に記載の発光素子。
【請求項１１】
所定の色の光を発するサンプル光源と、発光素子と、前記サンプル光源と前記発光素子とが装着されたとき、前記サンプル光源と近似した色の光を前記発光素子に発光させる発光強度調整装置とを備える発光色制御システムであって、
前記発光素子は、
複数の色の光をそれぞれ発光する複数のＬＥＤと、
前記複数のＬＥＤのそれぞれに駆動電流を供給する駆動部と、
前記複数のＬＥＤのそれぞれに供給する駆動電流の電流値に相当する値を格納する、書き換え可能な不揮発性メモリと、
前記不揮発性メモリに格納された前記駆動電流の電流値に相当する値を読み出して駆動電流の電流値を前記駆動部に与えたり、前記発光強度調整装置から与えられる前記駆動電流の電流値を前記駆動部に与えたりする制御部と、
前記駆動部，前記不揮発性メモリおよび前記制御部に直流電源電圧を与えるための２本のリードとを備え、
前記発光強度調整装置は、
前記サンプル光源の光を受光する第１の受光部と、
前記第１の受光部の出力に基づき前記サンプル光源の発光強度のレベルを前記複数の色ごとに検出する第１のレベル検出手段と、
検出された前記複数の色ごとの発光強度のレベルに基づき前記複数のＬＥＤの駆動電流の電流値を求める電流値算出手段と、
前記電流値算出手段により求められた前記駆動電流の電流値に基づき前記駆動電流の電流値を表わす電流値信号を生成して前記発光素子に出力する信号出力部と、
前記発光素子の光を受光する第２の受光部と、
前記第２の受光部の出力に基づき前記複数の色ごとのＬＥＤの発光強度のレベルを検出する第２のレベル検出手段と、
前記サンプル光源の発光強度のレベルと前記発光素子の発光強度のレベルとを前記複数の色ごとに比較する比較手段と、
前記比較手段により比較した結果、前記発光素子の発光強度のレベルのうち、前記サンプル光源の対応する発光強度のレベルと一致しない色があるとき、前記一致しない色について前記発光素子の発光強度のレベルが前記サンプル光源の発光強度のレベルと一致するように、前記発光素子の発光強度のレベルを調整するレベル調整手段と、
前記比較手段による比較の結果、前記発光素子の発光強度のレベルと、前記サンプル光源の発光強度のレベルとが前記複数の色ごとに一致したとき、前記駆動電流の電流値に相当する値を前記不揮発性メモリに格納する命令を出力する命令出力手段とを備えることを特徴とする、発光色制御システム。
【請求項１２】
前記発光素子は、前記複数のＬＥＤのそれぞれに供給する前記電流値信号を外部から時分割で与えるための１本のリードをさらに備え、
前記発光強度調整装置の前記信号出力部は、前記電流値信号を前記発光素子の前記１本のリードに時分割して出力することを特徴とする、請求項１１に記載の発光色制御システム。
【請求項１３】
前記発光素子は、前記複数のＬＥＤのそれぞれに前記電流値信号を外部から与えるために、前記複数のＬＥＤにそれぞれ対応させて設けられた複数本のリードをさらに備え、
前記発光強度調整装置の前記信号出力部は、前記電流値信号を前記複数本のリードにそれぞれ出力することを特徴とする、請求項１１に記載の発光色制御システム。
【請求項１４】
前記発光素子は、前記２本のリードを介して与えられる前記直流電源電圧のいずれかに重畳させて外部から与えられる前記電流値信号を前記直流電源電圧から分離する分配部をさらに備え、
前記発光強度調整装置の前記信号出力部は、前記直流電源電圧のいずれかに前記電流値信号を重畳させて前記分配部に与える重畳部をさらに含むことを特徴とする、請求項１１に記載の発光色制御システム。
【請求項１５】
前記発光素子は、
外部から送信される、前記電流値信号を含む電波を受信するアンテナと、
前記アンテナによって受信された前記電波から前記電流値信号を分離し、分離した前記電流値信号を前記制御部に与える受信部とをさらに備え
前記発光強度調整装置の前記信号出力部は、前記電流値信号を含む電波を前記受信部に向けて送信する送信部をさらに含むことを特徴とする、請求項１１に記載の発光色制御システム。
【請求項１６】
前記発光強度調整装置は、
自動モードから手動モードに切り換える手動切換スイッチと、
前記手動切換スイッチによって前記手動モードに切り換えられたとき、前記複数のＬＥＤのいずれかを選択する選択スイッチと、
選択されたＬＥＤの発光強度のレベルを増加させるレベルアップスイッチと、
選択されたＬＥＤの発光強度のレベルを減少させるレベルダウンスイッチとをさらに備えることを特徴とする、請求項１１に記載の発光色制御システム。
【請求項１７】
前記発光強度調整装置は、
前記サンプル光源の前記複数の色ごとの発光強度のレベルを表示する第１のモニタと、
前記発光素子の前記複数の色ごとの発光強度のレベルを表示する第２のモニタとをさらに備えることを特徴とする、請求項１１に記載の発光色制御システム。
【請求項１８】
前記発光強度調整装置は、
前記サンプル光源の前記複数の色ごとの発光強度のレベルに基づいて前記サンプル光源の光を再現する第１のＬＥＤランプと、
前記発光素子の前記複数の色ごとの発光強度のレベルに基づいて前記発光素子の光を再現する第２のＬＥＤランプとをさらに備えることを特徴とする、請求項１１に記載の発光色制御システム。
【発明の詳細な説明】
【技術分野】
【０００１】
本発明は、発光素子およびその発光色制御システムに関し、より詳しくは、複数のＬＥＤを同時に点灯することによって発光色を調整する発光素子およびその発光素子の発光色を調整する発光色制御システムに関する。
【背景技術】
【０００２】
近年、光の３原色の１つである青色の光を発する青色ＬＥＤ（Light Emitting Diode：発光ダイオード）が開発された。これに伴い、赤色（Ｒ）、緑色（Ｇ）および青色（Ｂ）の各ＬＥＤチップが透明樹脂で封止されたＬＥＤランプは、各ＬＥＤチップに供給する駆動電流の電流値を調整することにより、その色再現範囲内にある任意の色の光を発することができるようになった。
【０００３】
このような従来技術として、特許文献１には、配線基板上に、赤色，緑色，青色の各ＬＥＤチップを１つずつ透明樹脂で封止した複数の発光ドットと、複数の発光ドットを駆動する１つのＬＥＤドライバとが配置されたＬＥＤ光源が開示されている。ＬＥＤドライバは、各発光ドットのＬＥＤチップごとに複数の駆動電流値が書き込まれた不揮発性メモリを内蔵している。このため、ＬＥＤドライバは、ＬＥＤチップごとに、不揮発性メモリに書き込まれた駆動電流値の中から最適な電流値を選択し、選択した電流値の駆動電流を各ＬＥＤチップに供給する。この結果、各発光ドットの発光色を揃えることができる。
【０００４】
また特許文献２には、センサによって検知されたＬＥＤの発光強度がメモリに書き込まれている発光強度よりも弱くなれば、制御ユニットを制御してＬＥＤに供給する駆動電流の電流値を大きくするＬＥＤ制御装置が開示されている。このため、ＬＥＤが劣化してその発光強度が弱くなっても、ＬＥＤは発光強度を一定に保つことができる。
【特許文献１】特開２００６−２３７２８２号公報
【特許文献２】特開２００６−１２８６１９号公報
【発明の開示】
【発明が解決しようとする課題】
【０００５】
発光素子に含まれる赤色，緑色，青色の各ＬＥＤチップの光の色を調整して、発光素子が特定の色と近似した色の光を発するようにしたい場合がある。この場合、赤色，緑色，青色の各ＬＥＤチップの発光強度が、特定の色に含まれる赤色，緑色，青色の光の発光強度とそれぞれ同じになるように調整する必要がある。
【０００６】
しかし、特許文献１のＬＥＤ光源は複数の発光ドットの色を揃えることを目的としているので、複数の発光ドットに対して１つのＬＥＤドライバのみが配置されている。このため、各発光ドットに個別に電源電圧が印加されても、各発光ドットはそれぞれ特定の色の光を発することができないという問題がある。
【０００７】
また特許文献２のＬＥＤ制御装置のメモリに書き込まれているのは、基準となるＬＥＤの発光強度に対応する駆動電流値のみである。このため、ＬＥＤ制御装置は、特定の色に対応する駆動電流をＬＥＤに供給することができないという問題がある。
【０００８】
そこで、本発明の目的は、電源電圧が与えられれば、特定の色の光を発することができる発光素子を提供することである。また、本発明の他の目的は、そのような発光素子の発光色をサンプルの発光色と近似した色に変えることができる発光色制御システムを提供することである。
【課題を解決するための手段】
【０００９】
第１の発明は、複数のＬＥＤを同時に点灯することによって発光色を調整する発光素子であって、
前記複数のＬＥＤのそれぞれに駆動電流を供給する駆動部と、
前記駆動電流の電流値に相当する値を格納する不揮発性メモリと、
前記不揮発性メモリに格納された前記駆動電流の電流値に相当する値を読み出して前記駆動部に与える制御部と、
前記駆動部、前記不揮発性メモリおよび前記制御部に直流電源電圧を与える２本のリードとを備え、
前記制御部は、前記２本のリードに前記直流電源電圧が与えられると、前記不揮発性メモリから前記駆動電流の電流値に相当する値を読み出して前記駆動電流の電流値を求め、求めた前記駆動電流の電流値を前記駆動部に与え、
前記駆動部は、前記制御部から与えられた前記駆動電流の電流値に基づいて前記複数のＬＥＤのそれぞれに前記駆動電流を供給することを特徴とする。
【００１０】
第２の発明は、第１の発明において、
前記複数のＬＥＤのそれぞれに前記駆動電流の電流値を表わす電流値信号が時分割で外部から与えられる１本のリードをさらに備え、
前記不揮発性メモリは書き換え可能な不揮発性メモリであり、
前記制御部は、外部から前記１本のリードに与えられる制御信号に基づいて、時分割で与えられた前記電流値信号から求めた前記駆動電流の電流値に相当する値を前記不揮発性メモリに格納することを特徴とする。
【００１１】
第３の発明は、第１の発明において、
前記複数のＬＥＤのそれぞれに前記駆動電流の電流値を表わす電流値信号を外部から与えるために、前記複数のＬＥＤにそれぞれ対応させて設けられた複数本のリードをさらに備え、
前記不揮発性メモリは書き換え可能な不揮発性メモリであり、
前記制御部は、外部から前記複数本のリードのいずれかに与えられる制御信号に基づいて、前記複数本のリードにそれぞれ与えられた前記電流値信号から求めた前記駆動電流の電流値に相当する値を前記不揮発性メモリに格納することを特徴とする。
【００１２】
第４の発明は、第２または第３の発明において、
前記１本のリードおよび前記複数本のリードの長さは、前記２本のリードの長さよりも短いことを特徴とする。
【００１３】
第５の発明は、第１の発明において、
前記２本のリードを介して与えられる直流電源電圧のいずれかに重畳させて外部から与えられ、前記駆動電流の電流値を表わす電流値信号を前記直流電源電圧から分離し、分離した前記電流値信号を前記制御部に与えるとともに、分離した前記直流電源電圧を前記駆動部，前記不揮発性メモリおよび前記制御部に与える分配部をさらに備え、
前記不揮発性メモリは書き換え可能な不揮発性メモリであり、
前記制御部は、外部から前記２本のリードのいずれかに与えられる制御信号に基づいて、分離された前記電流値信号から求めた前記駆動電流の電流値に相当する値を前記不揮発性メモリに格納することを特徴とする。
【００１４】
第６の発明は、第５の発明において、
前記電流値信号は、前記直流電源電圧のうちマイナス側の直流電源電圧に重畳されることを特徴とする。
【００１５】
第７の発明は、第１の発明において、
外部から送信される、前記駆動電流の電流値を表わす電流値信号を含む電波を受信するアンテナと、
前記アンテナによって受信された前記電波から前記電流値信号を分離し、分離した前記電流値信号を前記制御部に与える受信部とをさらに備え、
前記不揮発性メモリは書き換え可能な不揮発性メモリであり、
前記制御部は、外部から前記アンテナを介して与えられる制御信号に基づいて、分離された前記電流値信号から求めた前記駆動電流の電流値に相当する値を前記不揮発性メモリに格納することを特徴とする。
【００１６】
第８の発明は、第２から第７のいずれかの発明において、
前記書き換え可能な不揮発性メモリはフラッシュメモリであることを特徴とする。
【００１７】
第９の発明は、第１の発明において、
前記不揮発性メモリは書き換え不能なメモリであることを特徴とする。
【００１８】
第１０の発明は、第１の発明において、
前記複数のＬＥＤは、
２個の赤色ＬＥＤと、１個の緑色ＬＥＤと、１個の青色ＬＥＤとを含み、
２個の赤色ＬＥＤは直列に接続されていることを特徴とする。
【００１９】
第１１の発明は、所定の色の光を発するサンプル光源と、発光素子と、前記サンプル光源と前記発光素子とが装着されたとき、前記サンプル光源と近似した色の光を前記発光素子に発光させる発光強度調整装置とを備える発光色制御システムであって、
前記発光素子は、
複数の色の光をそれぞれ発光する複数のＬＥＤと、
前記複数のＬＥＤのそれぞれに駆動電流を供給する駆動部と、
前記複数のＬＥＤのそれぞれに供給する駆動電流の電流値に相当する値を格納する、書き換え可能な不揮発性メモリと、
前記不揮発性メモリに格納された前記駆動電流の電流値に相当する値を読み出して駆動電流の電流値を前記駆動部に与えたり、前記発光強度調整装置から与えられる前記駆動電流の電流値を前記駆動部に与えたりする制御部と、
前記駆動部，前記不揮発性メモリおよび前記制御部に直流電源電圧を与えるための２本のリードとを備え、
前記発光強度調整装置は、
前記サンプル光源の光を受光する第１の受光部と、
前記第１の受光部の出力に基づき前記サンプル光源の発光強度のレベルを前記複数の色ごとに検出する第１のレベル検出手段と、
検出された前記複数の色ごとの発光強度のレベルに基づき前記複数のＬＥＤの駆動電流の電流値を求める電流値算出手段と、
前記電流値算出手段により求められた前記駆動電流の電流値に基づき前記駆動電流の電流値を表わす電流値信号を生成して前記発光素子に出力する信号出力部と、
前記発光素子の光を受光する第２の受光部と、
前記第２の受光部の出力に基づき前記複数の色ごとのＬＥＤの発光強度のレベルを検出する第２のレベル検出手段と、
前記サンプル光源の発光強度のレベルと前記発光素子の発光強度のレベルとを前記複数の色ごとに比較する比較手段と、
前記比較手段により比較した結果、前記発光素子の発光強度のレベルのうち、前記サンプル光源の対応する発光強度のレベルと一致しない色があるとき、前記一致しない色について前記発光素子の発光強度のレベルが前記サンプル光源の発光強度のレベルと一致するように、前記発光素子の発光強度のレベルを調整するレベル調整手段と、
前記比較手段による比較の結果、前記発光素子の発光強度のレベルと、前記サンプル光源の発光強度のレベルとが前記複数の色ごとに一致したとき、前記駆動電流の電流値に相当する値を前記不揮発性メモリに格納する命令を出力する命令出力手段とを備えることを特徴とする。
【００２０】
第１２の発明は、第１１の発明において、
前記発光素子は、前記複数のＬＥＤのそれぞれに供給する前記電流値信号を外部から時分割で与えるための１本のリードをさらに備え、
前記発光強度調整装置の前記信号出力部は、前記電流値信号を前記発光素子の前記１本のリードに時分割して出力することを特徴とする。
【００２１】
第１３の発明は、第１１の発明において、
前記発光素子は、前記複数のＬＥＤのそれぞれに前記電流値信号を外部から与えるために、前記複数のＬＥＤにそれぞれ対応させて設けられた複数本のリードをさらに備え、
前記発光強度調整装置の前記信号出力部は、前記電流値信号を前記複数本のリードにそれぞれ出力することを特徴とする。
【００２２】
第１４の発明は、第１１の発明において、
前記発光素子は、前記２本のリードを介して与えられる前記直流電源電圧のいずれかに重畳させて外部から与えられる前記電流値信号を前記直流電源電圧から分離する分配部をさらに備え、
前記発光強度調整装置の前記信号出力部は、前記直流電源電圧のいずれかに前記電流値信号を重畳させて前記分配部に与える重畳部をさらに含むことを特徴とする。
【００２３】
第１５の発明は、第１１の発明において、
前記発光素子は、
外部から送信される、前記電流値信号を含む電波を受信するアンテナと、
前記アンテナによって受信された前記電波から前記電流値信号を分離し、分離した前記電流値信号を前記制御部に与える受信部とをさらに備え
前記発光強度調整装置の前記信号出力部は、前記電流値信号を含む電波を前記受信部に向けて送信する送信部をさらに含むことを特徴とする。
【００２４】
第１６の発明は、第１１の発明において、
前記発光強度調整装置は、
自動モードから手動モードに切り換える手動切換スイッチと、
前記手動切換スイッチによって前記手動モードに切り換えられたとき、前記複数のＬＥＤのいずれかを選択する選択スイッチと、
選択されたＬＥＤの発光強度のレベルを増加させるレベルアップスイッチと、
選択されたＬＥＤの発光強度のレベルを減少させるレベルダウンスイッチとをさらに備えることを特徴とする。
【００２５】
第１７の発明は、第１１の発明において、
前記発光強度調整装置は、
前記サンプル光源の前記複数の色ごとの発光強度のレベルを表示する第１のモニタと、
前記発光素子の前記複数の色ごとの発光強度のレベルを表示する第２のモニタとをさらに備えることを特徴とする。
【００２６】
第１８の発明は、第１１の発明において、
前記発光強度調整装置は、
前記サンプル光源の前記複数の色ごとの発光強度のレベルに基づいて前記サンプル光源の光を再現する第１のＬＥＤランプと、
前記発光素子の前記複数の色ごとの発光強度のレベルに基づいて前記発光素子の光を再現する第２のＬＥＤランプとをさらに備えることを特徴とする。
【発明の効果】
【００２７】
上記第１の発明によれば、発光素子では、複数のＬＥＤに供給する駆動電流の電流値に相当する値が不揮発性メモリに格納されている。２本のリードに直流電源電圧が与えられれば、制御部は、不揮発性メモリに格納されている駆動電流の電流値に相当する値を読み出して電流値を求め、求めた電流値を駆動部に与える。この結果、複数のＬＥＤのそれぞれに駆動電流が供給される。このようにして、発光素子は、直流電源電圧が与えられると、不揮発性メモリに格納された駆動電流値に相当する値に基づいて特定の色の光を発することができる。
【００２８】
上記第２の発明によれば、発光素子は、直流電源電圧を与えるための２本のリードの他に、複数のＬＥＤに供給する駆動電流の電流値を表わす電流値信号が外部から時分割で与えられるための１本のリードをさらに備えている。この場合、外部から制御部に対して制御信号が与えられれば、電流値信号に基づいて求められた駆動電流の電流値に相当する値が不揮発性メモリに格納されるので、発光素子の発光色を特定の色に容易に変更することができる。また、電流値信号は、直流電源電圧を与える２本のリードとは別に設けられた１本のリードを介して与えられるので、制御部の処理負担を軽減することができる。
【００２９】
上記第３の発明によれば、発光素子は、直流電源電圧を与えるための２本のリードの他に、複数のＬＥＤのそれぞれに対応して設けられた複数本のリードを備えているので、複数のＬＥＤの駆動電流の電流値を表わす電流値信号はそれぞれのリードを介して外部から与えられる。この場合、外部から制御部に対して制御信号が与えられれば、電流値信号に基づいて求められた駆動電流の電流値に相当する値が不揮発性メモリに格納されるので、発光素子の発光色を特定の色に容易に変更することができる。また、電流値信号は、直流電源電圧を与える２本のリードとは別に設けられた３本のリードを介して与えられるので、制御部の処理負担をより一層軽減することができる。
【００３０】
上記第４の発明によれば、外部から制御部に電流値信号を与える１本のリードおよび複数本のリードの長さは、いずれも直流電源電圧を与える２本のリードの長さよりも短いので、プリント基板に発光素子を実装するときに、電流値信号を与えるリードが邪魔になることはない。このため、発光素子をプリント基板に実装しやすくなる。
【００３１】
上記第５の発明によれば、直流電源電圧を与えるための２本のリードのいずれかに、直流電源電圧に重畳させてＬＥＤの駆動電流の電流値を表わす電流値信号が外部から与えられると、電流値信号は分配部によって分離される。この場合、外部から制御部に対して制御信号が与えられれば、電流値信号に基づいて求められた駆動電流の電流値に相当する値が不揮発性メモリに格納される。このため、直流電源電圧を与えるための２本のリードの他に、新たにリードを設ける必要がないので、発光素子は、従来の発光素子と容易に置き換えることができる。
【００３２】
上記第６の発明によれば、電流値信号はマイナス側の直流電源電圧に重畳されて与えられるので、制御部，駆動部，不揮発性メモリの基準電圧として使用されることが多いマイナス側の直流電源電圧と整合性をとることができる。
【００３３】
上記第７の発明によれば、ＬＥＤの駆動電流の電流値を表わす電流値信号を含む電波が外部から送信されると、送信された電波はアンテナによって受信される。そして、受信部によって、受信された電波から電流値信号が分離される。この場合、外部から制御部に対して制御信号が与えられれば、電流値信号に基づいて求められた駆動電流の電流値に相当する値が不揮発性メモリに格納される。このため、発光素子が基板に実装された状態で不揮発性メモリに格納された駆動電流の電流値に相当する値を書き換えたり、複数の発光素子の不揮発性メモリに格納された駆動電流の電流値に相当する値を同時に書き換えたりすることができる。
【００３４】
上記第８の発明によれば、不揮発性メモリはフラッシュメモリであるため、駆動電流の電流値を何回でも容易に書き換えることができる。
【００３５】
上記第９の発明によれば、不揮発性メモリは書き換えができないメモリであるため、書き換え可能なメモリと比べて安価であり、発光素子の製造コストを抑えることができる。
【００３６】
上記第１０の発明によれば、複数のＬＥＤのうち、赤色ＬＥＤを２個含み、しかもそれらは直列に接続されている。このため、緑色および青色ＬＥＤに比べて１／２程度の耐圧しかない赤色ＬＥＤを、緑色および青色ＬＥＤと同様に扱うことができる。また、赤色の光を緑色および青色の光と同程度に明るくすることによって、それらが混色された発光素子の光を明るくすることができる。
【００３７】
上記第１１の発明によれば、発光強度調整装置は、サンプル光源の発光強度のレベルを複数の色ごとに検出し、サンプル光源の発光強度のレベルに対応する電流値の駆動電流を発光素子の複数のＬＥＤに供給する。そして、発光素子の発光強度のレベルを色ごとに検出し、サンプル光源の発光強度のレベルと比較する。その結果、両者のレベルが一致しない色がある場合、一致しない色に対応する発光素子のＬＥＤの発光強度のレベルを調整する。複数の色について両者の発光強度のレベルが一致したとき、発光強度調整装置は、一致したレベルに対応する駆動電流の電流値に相当する値を、発光素子の書き換え可能な不揮発性メモリに格納させる。このように、発光強度調整装置は、サンプル光源と近似した色の光を発光素子に発光させることができる。また、発光素子は、直流電源電圧が与えられると、不揮発性メモリに格納された駆動電流の電流値を読み出し、サンプル光源と近似した色の光を発することができる。
【００３８】
上記第１２の発明によれば、発光強度調整装置は、発光素子に設けられた１本のリードに各ＬＥＤの駆動電流の電流値を表わす電流値信号を時分割して発光素子に与える。このため、複数のＬＥＤの発光強度のレベルを容易に調整することができる。
【００３９】
上記第１３の発明によれば、発光強度調整装置は、発光素子に設けられた複数本のリードに各ＬＥＤの駆動電流の電流値を表わす電流値信号をそれぞれ与える。このため、複数のＬＥＤの発光強度のレベルをより一層容易に調整することができる。
【００４０】
上記第１４の発明によれば、発光強度調整装置は、複数のＬＥＤの駆動電流の電流値を表わす電流値信号を、直流電源電圧のいずれかに重畳させて発光素子に与える。このため、発光素子は、２本のリードのみを有する従来の発光素子と置き換えて使用される。
【００４１】
上記第１５の発明によれば、発光強度調整装置は、複数のＬＥＤの駆動電流の電流値を表わす電流値信号を含む電波を発光素子に送信する。このため、電源電圧が与えられていない発光素子や、プリント基板に実装された状態の発光素子に電流値信号を与えたり、複数の発光素子に同時に電流値信号を与えたりすることができる。
【００４２】
上記第１６の発明によれば、発光強度調整装置は、手動切換スイッチがオンされることにより自動モードから手動モードに切り換えられ、オペレータは、発光素子の複数のＬＥＤごとに発光強度のレベルを増減させることができる。このため、サンプル光源の発光強度のレベルと発光素子の発光強度のレベルとが発光強度調整装置によって自動的に調整された後に、オペレータは、複数のＬＥＤごとに発光強度のレベルを手動で調整することができる。
【００４３】
上記第１７の発明によれば、発光強度調整装置は、サンプル光源の発光強度のレベルを複数の色ごとに示す第１のモニタと、発光素子の発光強度のレベルを複数の色ごとに示す第２のモニタとを備えている。このため、オペレータは、第１と第２のモニタに表示される数字を見比べることによって、両者の発光強度のレベルの違いを確認することができる。
【００４４】
上記第１８の発明によれば、発光強度調整装置は、サンプル光源の光を再現する第１のＬＥＤランプと、発光素子の光を再現する第２のＬＥＤランプとを備えている。このため、オペレータは、第１のＬＥＤランプの光と第２のＬＥＤランプの光とを見比べることによって、両者の発光色の微妙な差を見分けることができる。この場合、オペレータは手動による発光強度の調整をしやすくなる。
【発明を実施するための最良の形態】
【００４５】
＜１．  第１の実施形態＞
＜１．１  発光素子およびその動作＞
図１は、本発明の第１の実施形態に係る発光素子１０の構成を示すブロック図である。図１に示す発光素子１０は、赤色ＬＥＤチップ１１，緑色ＬＥＤチップ１２，青色ＬＥＤチップ１３，ＬＥＤドライバ１４，ＭＣＵ（Micro Controller Unit）１５およびフラッシュメモリ１６を備え、ＭＣＵ１５はレジスタ１５ａを内蔵する。そして、それらは透明樹脂からなる砲弾型の封止樹脂部材２０の内部に封止されている。
【００４６】
封止樹脂部材２０から３本のリード２１，２２，２３が外部に延びている。リード２１にはプラス側の直流電圧が印加され、リード２２にはマイナス側の直流電圧が印加される。各リード２１，２２に印加されたプラス側とマイナス側（以下、本明細書では「０Ｖ」とする）の直流電圧は、電源電圧としてＬＥＤドライバ１４，ＭＣＵ１５およびフラッシュメモリ１６に印加される。また、リード２３には、各ＬＥＤチップ１１〜１３に供給する駆動電流の電流値を表わす、矩形波からなるパルス信号（以下、本明細書では「パルス信号」という）Ｓｒ，Ｓｇ，Ｓｂが時分割で与えられる。
【００４７】
発光素子１０の動作モードには次の３つのモードがある。すなわち、電源電圧が印加されると、フラッシュメモリ１６に書き込まれた駆動電流値を読み出し、読み出した電流値の駆動電流を各ＬＥＤチップ１１〜１３に供給する第１の動作モード、外部から与えられた電流値の駆動電流を各ＬＥＤチップ１１〜１３に供給する第２の動作モード、および、外部から与えられた各ＬＥＤチップ１１〜１３の駆動電流値をフラッシュメモリ１６に書き込む第３の動作モードがある。これらの動作モードは、フラッシュメモリ１６への駆動電流値の書き換えを禁止する書き換え禁止命令によって切り換えられる。具体的には、書き換え禁止命令が与えられると第１の動作モードに、書き換え禁止命令が解除されると第２の動作モードに、書き換え禁止命令が解除された後に、さらにフラッシュメモリ１６への書き換え命令が与えられると第３の動作モードにそれぞれ切り換えられる。
【００４８】
第１の動作モードでは、各ＬＥＤチップ１１〜１３の駆動電流値があらかじめフラッシュメモリ１６に書き込まれている。このため、発光素子１０のリード２１，２２に電源電圧が印加されると、ＭＣＵ１５は、フラッシュメモリ１６から各ＬＥＤチップ１１〜１３の駆動電流値を読み出し、読み出した駆動電流値をＬＥＤドライバ１４に与える。このようにして、発光素子１０は、電源電圧が印加されれば、ＬＥＤチップ１１〜１３ごとにフラッシュメモリ１６に書き込まれている電流値に基づいて、駆動電流をそれぞれ各ＬＥＤチップ１１〜１３に供給するので、特定の色に近似した色の光を発することができる。なお、発光素子１０の発光色を特定の色と同じ色ではなく、近似した色としたのは、特定の色には赤色，緑色，青色だけでなく、他の色成分も含まれているのに対して、発光素子１０の発光色には赤色，緑色，青色の成分しか含まれていないからである。
【００４９】
第２の動作モードでは、ＭＣＵ１５は、外部からリード２３を介してＬＥＤチップ１１〜１３ごとに時分割で与えられるパルス信号Ｓｒ，Ｓｇ，Ｓｂを色成分ごとに駆動電流値に変換し、変換した電流値をＬＥＤドライバ１４に与える。ＬＥＤドライバ１４は、図２に示すように、与えられた電流値の駆動電流を各ＬＥＤチップ１１〜１３に供給する。このようにして、各ＬＥＤチップ１１〜１３は、それぞれパルス信号Ｓｒ，Ｓｇ，Ｓｂに対応する強度の光を発するので、発光素子１０は特定の色に近似した色の光を発することができる。
【００５０】
第３の動作モードでは、発光素子１０は、外部からＭＣＵ１５に与えられたＬＥＤチップ１１〜１３ごとの駆動電流値がレジスタ１５ａに保持された状態で、駆動電流値をフラッシュメモリ１６に書き込む命令が外部から与えられると、レジスタ１５ａに保持された各ＬＥＤチップ１１〜１３の駆動電流値をフラッシュメモリ１６に書き込む。このようにして、各ＬＥＤチップ１１〜１３の駆動電流値がフラッシュメモリ１６に書き込まれれば、発光素子１０のリード２１，２２に電源電圧が印加されるだけで、発光素子１０は、上述の第１の動作モードによって発光することができる。
【００５１】
なお、フラッシュメモリ１６に書き込まれる駆動電流の電流値は、各ＬＥＤチップ１１〜１３の発光強度が最も弱いレベル０から最も強いレベル９９までの１００のレベルのそれぞれに対応するように与えられる。したがって、発光素子１０は、各ＬＥＤチップ１１〜１３の発光強度のレベルを組み合わせることにより、赤色，緑色，青色のＬＥＤチップ１１〜１３の発光強度がすべてレベル０である黒色から、すべてレベル９９である白色まで１００万色の光を発することができる。
【００５２】
発光素子１０には、駆動電流値を外部からＭＣＵ１５に与えるための専用のリード２３が設けられている。このため、各ＬＥＤチップ１１〜１３の駆動電流値は、電源電圧を与えるリード２１，２２とは異なるリード２３を介してＭＣＵ１５に与えられ、レジスタ１５ａに保持される。このように、駆動電流の電流値は、直流電源電圧を与える２本のリード２１、２２とは別に設けられたリード２３を介して与えられるので、ＭＣＵ１５の処理負担がより一層軽減される。
【００５３】
発光素子１０が発する光の色を変更したい場合、フラッシュメモリ１６に書き込まれている駆動電流値の書き換え禁止を解除する命令を、外部からリード２３を介してＭＣＵ１５に与えることにより、フラッシュメモリ１６は書き換え可能な状態になる。次に、駆動電流値の書き換え命令がリード２３を介してＭＣＵ１５に与えられると、ＭＣＵ１５は、フラッシュメモリ１６に書き込まれている駆動電流値の代わりに、レジスタ１５ａに保持されている駆動電流値をフラッシュメモリ１６に書き込む。駆動電流値の書き込みが終了すると、駆動電流値が再び書き換えられないようにするため、リード２３を介してＭＣＵ１５に書き換え禁止命令が与えられる。その結果、フラッシュメモリ１６に書き込まれている駆動電流値の書き換えが禁止される。
【００５４】
なお、発光素子１０の発光強度のレベルは０〜９９に限られず、１〜１００、０〜１２８等であってもよい。また、各ＬＥＤチップ１１〜１３の駆動電流の電流値を書き込むメモリは、フラッシュメモリ１６に限定されず、例えば強誘電体メモリ（ＦｅＲＡＭ），磁気抵抗メモリ（ＭＲＡＭ），抵抗メモリ（ＲｅＲＡＭ）等の不揮発性メモリであってもよい。
【００５５】
図３は、発光素子の封止樹脂部材２０の内部に封止された実装基板３０を示す分解斜視図である。実装基板３０は２枚の基板３１，３２が積層されたもので、上側の基板３１には赤色ＬＥＤチップ１１，緑色ＬＥＤチップ１２および青色ＬＥＤチップ１３がそれぞれ１個ずつ実装されている。下側の基板３２にはＬＥＤドライバ１４，ＭＣＵ１５およびフラッシュメモリ１６がそれぞれＩＣ（Integrated Circuit）の形態で実装されている。また、下側の基板３２には３本のリード２１，２２，２３が接続されており、各ＬＥＤチップ１１〜１３の駆動電流値は、パルス信号Ｓｒ，Ｓｇ，Ｓｂとしてリード２３を介してＭＣＵ１５に与えられ、プラス側とマイナス側の直流電圧はそれぞれリード２１，２２を介して与えられる。
【００５６】
なお、上述の説明において、フラッシュメモリ１６に書き込まれるのは、各ＬＥＤチップ１１〜１３の駆動電流の電流値であるとして説明したが、例えば発光強度のレベルなど、駆動電流の電流値に相当する値でもよい。また、リード２１，２２は、プリント基板上の配線と接続しやすくするために、ある程度の長さを必要とするが、リード２３は、配線と接続する必要がないので、発光素子１０をプリント基板に実装するときに邪魔にならないように、リード２１，２２よりも長さの短いものが好ましい。また、赤色，緑色，青色の各ＬＥＤチップ１１〜１３は上側の基板３１に、ＬＥＤドライバ１４，ＭＣＵ１５およびフラッシュメモリ１６は下側の基板３２にそれぞれ実装される場合について説明したが、同一の基板上にそれらをすべて実装してもよく、あるいは３枚以上の基板に分けて実装してもよい。さらに、ＬＥＤドライバ１４，ＭＣＵ１５およびフラッシュメモリ１６として、それぞれ別のＩＣを使用したが、これらを１つにまとめたＩＣを使用してもよい。
【００５７】
＜１．２  発光色制御システムの構成およびその動作＞
図４は、発光素子１０の発光色を調整する発光強度調整装置４０を含む、発光色制御システムの構成を示すブロック図である。発光強度調整装置４０は、例えば所望の色の光を発するサンプル光源８０と発光素子１０とがそれぞれサンプル側センサ４１およびクローン（clone）側センサ５２の直下に装着されれば、発光素子１０がサンプル光源８０と近似した色の光を発するように、発光素子１０に内蔵されたフラッシュメモリ１６に各ＬＥＤチップ１１〜１３の駆動電流値を書き込む装置である。
【００５８】
図４に示す発光強度調整装置４０は、サンプル側センサ４１，サンプル側周波数変換回路４２，ＭＣＵ４３，パルス生成回路４５，電源回路５０，電源プラグ５１，クローン側センサ５２，クローン側周波数変換回路５３，サンプル側モニタ７１，サンプル側ＬＥＤランプ７２，クローン側モニタ７３，クローン側ＬＥＤランプ７４，自動／手動切換部６１，強度調整部６２，自動表示ランプ７５，手動表示ランプ７６を備え、ＭＣＵ４３はメモリ４３ａを内蔵する。
【００５９】
発光強度調整装置４０の動作について説明する。サンプル光源８０および発光素子１０が発光強度調整装置４０に装着されると、サンプル側センサ４１は、サンプル光源８０の光を赤色、青色、緑色のフィルタがそれぞれ設けられたフォトダイオードアレイ（図示しない）で受光し、受光した光を色成分ごとに発光強度に応じた電流に変換し、変換した電流をサンプル側周波数変換回路４２に与える。サンプル側周波数変換回路４２は、与えられた電流を色成分ごとに、色成分に応じた周波数および発光強度に応じたデューティ比を有するＰＷＭ（Pulse Width Modulation）信号に変換してＭＣＵ４３に与える。
【００６０】
ＭＣＵ４３は、与えられたＰＷＭ信号のデューティ比に基づいて、色成分ごとにその発光強度が０〜９９レベルのいずれのレベルに該当するかを求める。そして、求めたレベルをサンプル側モニタ７１に表示するとともに、サンプル側ＬＥＤランプ７２内の各ＬＥＤチップ（図示しない）の駆動電流値を求めて電流を供給することにより、サンプル側ＬＥＤランプ７２を点灯させる。
【００６１】
そして、ＭＣＵ４３は、ＰＷＭ信号を色成分ごとに時分割してパルス生成回路４５に与える。パルス生成回路４５は、与えられたＰＷＭ信号に基づいて各ＬＥＤチップ１１〜１３の駆動電流値を表わすパルス信号Ｓｒ，Ｓｇ，Ｓｂを生成し、生成したパルス信号Ｓｒ，Ｓｇ，Ｓｂを時分割して発光素子１０のリード２３に与える。
【００６２】
その結果、発光素子１０は、既に説明したように、発光強度調整装置４０から与えられたパルス信号Ｓｒ，Ｓｇ，Ｓｂに応じた色の光を発し、クローン側センサ５２は発光素子からの光を受光する。クローン側センサ５２は、サンプル側センサ４１と同様に、赤色、青色、緑色のフィルタがそれぞれ設けられたフォトダイオードアレイ（図示しない）で発光素子１０の光を受光する。これらのフィルタは、サンプル側センサ４１のフィルタとそれぞれ同じ透過特性を有するフィルタである。このため、クローン側センサ５２の各色成分の光を受光するフォトダイオードアレイには、それぞれサンプル側センサ４１の対応するフォトダイオードアレイと同じ周波数の光が入射する。
【００６３】
クローン側センサ５２は、発光素子１０が発光した光を、赤色，青色，緑色のフィルタがそれぞれ設けられたフォトダイオードアレイで受光し、受光した光の色成分ごとに発光強度に応じた電流に変換してクローン側周波数変換回路５３に与える。クローン側周波数変換回路５３は、与えられた電流を色成分ごとに、色成分に応じた周波数および発光強度に応じたデューティ比のＰＷＭ信号に変換してＭＣＵ４３に与える。
【００６４】
ＭＣＵ４３は、クローン側周波数変換回路５３から与えられた色成分ごとのＰＷＭ信号のデューティ比に基づいて、色成分ごとに、その発光強度が０〜９９レベルのいずれのレベルに該当するかを求める。そして、求めたレベルをクローン側モニタ７３に表示するとともに、クローン側ＬＥＤランプ７４内の各ＬＥＤチップ（図示しない）の駆動電流値を求め、クローン側ＬＥＤランプ７４を点灯させる。
【００６５】
そして、ＭＣＵ４３は、サンプル光源８０の発光強度のレベルと発光素子１０の発光強度のレベルとを色成分ごとに比較し、両者の発光強度のレベルが異なるときには、発光素子１０の発光強度のレベルがサンプル光源８０の発光強度のレベルと一致するように、発光素子１０のＰＷＭ信号のデューティ比を増減させて調整する。その詳細な調整方法については後述する。
【００６６】
そして、ＭＣＵ４３は、デューティ比を調整したＰＷＭ信号を再びパルス生成回路４５に与える。パルス生成回路４５は、与えられたＰＷＭ信号に基づいて再び駆動電流値を表わすパルス信号Ｓｒ，Ｓｇ，Ｓｂを生成し、生成したパルス信号Ｓｒ，Ｓｇ，Ｓｂを発光素子１０のリード２３に与える。
【００６７】
このようにして、サンプル光源８０の発光強度のレベルと発光素子１０の発光強度のレベルがすべての色成分について一致するまで、発光素子１０からの光に基づいて求められるＰＷＭ信号のデューティ比を増減させることにより、両者の発光強度のレベルを一致させる。
【００６８】
上述のように、発光強度調整装置４０には、サンプル光源８０の発光色ごとの発光強度のレベルと発光素子１０のＬＥＤチップ１１〜１３ごとの発光強度のレベルとを０〜９９のレベルで表示するためのサンプル側モニタ７１とクローン側モニタ７３が設けられている。このため、オペレータは、サンプル側モニタ７１とクローン側モニタ７３に表示された数字を比較することによって、発光強度のレベルを直接比較することができる。例えば図４のサンプル側モニタ７１とクローン側モニタ７３にはいずれも、赤色がレベル１５、緑色がレベル３３、青色がレベル７１の場合を表示している。
【００６９】
また、サンプル側モニタ７１とクローン側モニタ７３とにそれぞれ表示される発光強度のレベルがすべて一致する場合であっても、オペレータは、サンプル側ＬＥＤランプ７２の光の色とクローン側ＬＥＤランプ７４の光の色とを見比べ、サンプル側モニタ７１とクローン側モニタ７３に表示される数字には現われない、両者の発光色の違いを見分けることもできる。このため、オペレータは、発光素子１０の発光強度のレベルを自動的に調整された値から、さらに手動で増減させることもできる。
【００７０】
次に、手動で発光素子１０の発光強度のレベルを調整する場合について説明する。発光強度調整装置４０のＭＣＵ４３には、自動／手動切換部６１と強度調整部６２が設けられている。自動／手動切換部６１には、自動スイッチＳＷ１と手動スイッチＳＷ２とが設けられている。自動スイッチＳＷ１がオンされれば、発光強度調整装置４０は、自動モードになり、発光素子１０の発光強度のレベルがサンプル光源８０の発光強度のレベルと一致するように、発光素子１０のＰＷＭ信号のデューティ比を自動的に増減させて調整する。
【００７１】
一方、手動スイッチＳＷ２がオンされれば、発光強度調整装置４０は、手動モードになる。そこで、オペレータは、後述する強度調整部６２を操作することによって、発光素子１０の発光強度のレベルがサンプル光源８０の発光強度のレベルと一致するように、発光素子１０のＰＷＭ信号のデューティ比を増減させて調整する。また、手動モード時に手動スイッチＳＷ２が再度オンされれば、発光強度調整装置４０は自動モードに戻る。なお、発光強度調整装置４０が自動モード時には自動表示ランプ７５が点灯し、手動モード時には手動表示ランプ７６が点灯するので、オペレータは、自動モード／手動モードのいずれであるかを容易に確認することができる。
【００７２】
強度調整部６２には、選択スイッチＳＷ３と、レベルアップスイッチＳＷ４と、レベルダウンスイッチＳＷ５とが設けられている。選択スイッチＳＷ３は、ＬＥＤチップ１１〜１３のうち、発光強度のレベルを調整したいＬＥＤチップを選択するためのスイッチで、オンされるたびに赤色、緑色、青色のＬＥＤチップ１１〜１３を順次循環的に選択する。レベルアップスイッチＳＷ４は、オンされるたびに発光強度のレベルを１ずつ増加させ、レベルダウンスイッチＳＷ５は、オンされるたびに発光強度のレベルが１ずつ減少させる。
【００７３】
なお、ＭＣＵ４３内のメモリ４３ａは、ＭＣＵ４３の上述の各種動作を制御するためのプログラムを格納するための書き換え可能なメモリである。また、電源回路５０は、電源プラグ５１から与えられる交流電圧を直流電圧に整流し、整流した直流電圧を電源電圧として発光素子１０のリード２１，２２に与える。
【００７４】
図５〜図７は、発光強度調整装置４０のＭＣＵ４３が、各ＬＥＤチップ１１〜１３の駆動電流値を発光素子１０に内蔵されたフラッシュメモリ１６に書き込む処理を示すフローチャートである。図５〜図７に示すように、まず発光素子１０のＭＣＵ１５に対して、フラッシュメモリ１６に書き込まれた各ＬＥＤチップ１１〜１３の駆動電流値の書き換え禁止を解除する命令を与える（ステップＳ１）。
【００７５】
次に、サンプル光源８０の光をサンプル側センサ４１によって受光して電流に変換し、変換した電流をさらに、サンプル側周波数変換回路４２によって赤色，緑色，青色の色成分ごとに所定の周波数およびデューティ比のＰＷＭ信号に変換する。そこで、ＰＷＭ信号のデューティ比からサンプル光源８０の各色成分の発光強度のレベルを求める（ステップＳ２）。このとき、サンプル側モニタ７１に、求められた赤色，緑色，青色の発光強度が表示されるとともに、サンプル側ＬＥＤランプ７２は求められた発光強度のレベルに対応する駆動電流によって発光する。
【００７６】
クローン側にセットされた発光素子１０の色成分ごとの発光強度のレベルが、サンプル光源８０の光の色成分ごとの発光強度のレベルと同じになるような駆動電流値を各ＬＥＤチップ１１〜１３について求め、発光素子１０のＭＣＵ１５に与える（ステップＳ３）。この結果、発光素子１０のＭＣＵ１５は、各ＬＥＤチップ１１〜１３に駆動電流が供給されるように、ＬＥＤドライバ１４に駆動電流値を与える。
【００７７】
発光素子１０の光はクローン側センサ５２によって受光されて電流に変換され、変換された電流はさらに、クローン側周波数変換回路４２によって赤色，緑色，青色の色成分ごとのＰＷＭ信号に変換される。そこで、ＰＷＭ信号のデューティ比から発光素子１０の各色成分の発光強度のレベルを求める（ステップＳ４）。このとき、クローン側モニタ７３に、求められた赤色，緑色，青色の発光強度が表示されるとともに、クローン側ＬＥＤランプ７４は求められた発光強度に対応する駆動電流によって発光する。
【００７８】
サンプル光源８０の発光強度のレベルと、発光素子１０の発光強度のレベルを色成分ごとに比較し、両者の発光強度のレベルが色成分ごとに同じ値か否かを判定する（ステップＳ５）。ステップＳ５での判定の結果が否定的である場合、すなわちサンプル光源８０の発光強度のレベルと発光素子１０の発光強度のレベルのうち、少なくとも一部の色成分の発光強度のレベルが異なる場合には、まず両者の赤色の発光強度のレベルが同じ値か否かを判定する（ステップＳ６）。
【００７９】
ステップＳ６で、両者の赤色の発光強度のレベルが同じ値であると判定された場合、後述のステップＳ８に進む。一方、ステップＳ６で、両者の赤色の発光強度のレベルが異なる値であると判定された場合には、発光素子１０からの赤色の光に基づいて生成されたＰＷＭ信号のデューティ比を増加または減少させることによって発光素子１０の赤色の発光強度のレベルを調整し（ステップＳ７）、ステップＳ８に進む。
【００８０】
次に、ステップＳ８で、両者の緑色の発光強度のレベルが同じ値か否かを判定する。その結果、両者の緑色の発光強度のレベルが同じ値であると判定された場合には、後述のステップＳ１０に進む。一方、ステップＳ８で、両者の緑色の発光強度のレベルが異なる値であると判定された場合には、発光素子１０からの緑色の光に基づいて生成されたＰＷＭ信号のデューティ比を増加または減少させることによって発光素子１０の緑色の発光強度のレベルを調整し（ステップＳ９）、ステップＳ１０に進む。
【００８１】
次に、ステップＳ１０で、両者の青色の発光強度のレベルが同じ値か否かを判定する。その結果、両者の青色の発光強度のレベルが同じ値であると判定された場合、ステップＳ１２に進む。一方、ステップＳ１０で、両者の青色の発光強度のレベルが異なる値であると判定された場合には、発光素子１０からの青色の光に基づいて生成されたＰＷＭ信号のデューティ比を増加または減少させることによって発光素子１０の青色の発光強度のレベルを調整し（ステップＳ１１）、ステップＳ１２に進む。
【００８２】
ステップＳ１２では、ステップＳ７，Ｓ９，Ｓ１１で調整された発光強度のレベルに応じた駆動電流値を求め、求めた駆動電流値をパルス生成回路４５に与え、ステップＳ４に戻る。パルス生成回路４５は、与えられた駆動電流値に基づいてパルス信号Ｓｒ，Ｓｇ，Ｓｂを生成して、発光素子１０のＭＣＵ１５に与える。このとき、クローン側モニタ７３に、調整された赤色，緑色，青色の発光強度のレベルが表示されるとともに、クローン側ＬＥＤランプ７４は、調整された発光強度のレベルに対応する駆動電流によって発光する。
【００８３】
次に、オペレータによって手動スイッチＳＷ２がオンされたか否かを判定する（ステップＳ１３）。その結果、手動スイッチＳＷ２がオンされて、手動モードになっていると判定された場合には、強度調整部６２の各スイッチＳＷ３〜ＳＷ５を有効にして手動モードに切り換える（ステップＳ１４）。発光強度調整装置４０が手動モードに切り換えられれば、手動表示ランプ７６が点灯するので、オペレータは、選択スイッチＳＷ３を操作して発光強度のレベルを変更したいＬＥＤチップを選択する。そして、レベルアップスイッチＳＷ４またはレベルダウンスイッチＳＷ５を操作して、選択したＬＥＤチップの発光強度のレベルを増加または減少させ、発光強度のレベルを調整することができる。なお、オペレータは発光素子１０が発する光の色をクローン側ＬＥＤランプ７４によって確認しながら、発光強度のレベルを調整することができる。
【００８４】
ステップＳ１５では、オペレータが手動モードを解除するために、手動スイッチＳＷ２が再度オンされるまで待機する。したがって、オペレータは、手動スイッチＳＷ２を再度オンするまでは、発光強度のレベルを変更することができる。オペレータによって手動スイッチＳＷ２がオンされれば、自動表示ランプ７５が点灯するとともに手動モードが解除され、ステップＳ１７に進む。このとき、発光素子１０の発光強度のレベルは手動モードで調整されたレベルとなる。
【００８５】
一方、ステップＳ１３で、オペレータによって手動スイッチＳＷ２がオンされていないと判定された場合には、所定時間が経過したか否かを判定する（ステップＳ１６）。その結果、所定時間がまだ経過していないと判定されたとき、オペレータが手動による発光強度のレベル調整を行うために、手動スイッチＳＷ２をオンする可能性があるので、ステップＳ１３に戻る。
【００８６】
一方、所定時間内に手動スイッチＳＷ２がオンされなかった場合、ＭＣＵ４３は、オペレータが発光強度のレベル調整を行わないと判定し、ステップＳ１７に進む。このとき、発光素子１０の発光強度のレベルは自動モードで調整されたレベルとなる。
【００８７】
ステップＳ１５またはステップＳ１６で求めた発光素子１０の発光強度のレベルに応じた各ＬＥＤチップ１１〜１３の駆動電流値をパルス生成回路４５に与える（ステップ１７）。パルス生成回路は、与えられた駆動電流値に基きパルス信号Ｓｒ，Ｓｇ，Ｓｂを生成して、発光素子１０のＭＣＵ１５に与える。このとき、クローン側モニタ７３に、調整された赤色，緑色，青色の発光強度のレベルが表示されるとともに、クローン側ＬＥＤランプ７４は調整された発光強度に対応する駆動電流によって発光する。
【００８８】
次に、発光素子１０のＭＣＵ１５に対して、フラッシュメモリ１６に駆動電流値を書き込む命令を与える（ステップＳ１８）。次に、フラッシュメモリ１６に書き込まれた各ＬＥＤチップ１１〜１３の駆動電流値の書き換えを禁止する命令を与える（ステップＳ１９）。この結果、発光素子１０のフラッシュメモリ１６には、各ＬＥＤチップ１１〜１３の駆動電流値が書き込まれる。
【００８９】
このようにして、発光強度調整装置４０は、発光素子１０がサンプル光源８０と近似した色の光を発することができるように、発光素子１０に内蔵されたフラッシュメモリ１６に、各ＬＥＤチップ１１〜１３の駆動電流値を書き込むことができる。各ＬＥＤチップ１１〜１３の駆動電流値が書き込まれた発光素子１０は、リード２１，２２に電源電圧が印加されると、フラッシュメモリ１６に書き込まれている各ＬＥＤチップ１１〜１３の駆動電流値を読み出してＬＥＤドライバ１４に与えることにより、サンプル光源８０と近似した色の光を発することができる。
【００９０】
なお、ＭＣＵ４３は、ステップＳ２においては第１のレベル出力手段として、ステップＳ３，Ｓ１７においては電流値算出手段として、ステップＳ４においては第２のレベル出力手段として、ステップＳ５においては比較手段として、ステップＳ７，Ｓ９，Ｓ１１においてはレベル調整手段として、ステップＳ１８においては命令出力手段としてそれぞれ機能する。
【００９１】
さらに、パルス信号Ｓｒ，Ｓｇ，Ｓｂは駆動電流値を表わす信号であるとしたが、例えば発光強度のレベルなど、駆動電流値に相当する値を表わす信号であってもよい。また、パルス信号Ｓｒ，Ｓｇ，Ｓｂは矩形波からなるパルス信号であるとして説明したが、矩形波以外のパルス信号、交流信号あるいはデジタル信号であってもよい。
【００９２】
＜１．３  変形例＞
図８は、第１の実施形態の変形例に係る発光素子１１０の構成を示すブロック図である。この変形例に係る発光素子１１０の構成要素のうち、第１の実施形態に係る発光素子１０と同一または相当する構成要素については、同一の参照符号を付してその説明を省略する。
【００９３】
図８に示す発光素子１１０では、発光素子１０と異なり、各ＬＥＤチップ１１〜１３の駆動電流値を表わすパルス信号Ｓｒ，Ｓｇ，Ｓｂが時分割で与えられるのではなく、同時に与えられる。このため、発光素子１１０は、電源電圧を印加する２本のリード２１，２２の他に、赤色、緑色、青色のＬＥＤチップ１１〜１３の駆動電流値を表すそれぞれのパルス信号Ｓｒ，Ｓｇ，ＳｂをＭＣＵ１５に与えるための３本の専用のリード１２４〜１２６を備えている。したがって、電源電圧を印加する２本のリード２１，２２と合わせて、合計５本のリードが発光素子１１０に設けられている。３本のリード１２４〜１２６からそれぞれ与えられた３個のパルス信号Ｓｒ，Ｓｇ，ＳｂがＭＣＵ１５に与えられると、ＭＣＵ１５は３個のパルス信号Ｓｒ，Ｓｇ，Ｓｂをそれぞれ駆動電流値に変換し、変換した駆動電流値をＬＥＤドライバ１４に与える。このように、３本のリード１２４〜１２６を設けることによって、ＭＣＵ１５の処理負担を軽減することができる。なお、フラッシュメモリ１６に書き込まれている駆動電流値の書き換え禁止を解除する命令、書き換え命令および書き換え禁止命令は、外部から３本のリード１２４〜１２６のいずれかを介してＭＣＵ１５に与えられる。
【００９４】
図９は、発光素子１１０の封止樹脂部材２０の内部に封止された実装基板１３０を示す分解斜視図である。図９に示される実装基板１３０が第１の実施形態に係る実装基板３０と異なるのは、下側の基板１３２に５本のリード２１，２２，１２４〜１２６が設けられている点である。このうちの３本のリード１２４〜１２６は、上述のように、外部から各ＬＥＤチップ１１〜１３の駆動電流値を表すパルス信号Ｓｒ，Ｓｇ，ＳｂをそれぞれＭＣＵ１５に与えるために使用される専用のリードである。
【００９５】
なお、リード２１，２２は、プリント基板上の配線と接続しやすくするために、ある程度の長さを必要とする。しかし、リード１２４〜１２６は、配線と接続する必要がないので、発光素子１０をプリント基板に実装するときに邪魔にならないように、リード２１，２２よりも長さの短いものが好ましい。
【００９６】
図１０は、発光素子１１０の光の色を調整する発光強度調整装置１４０を含む、発光色制御システムの構成を示すブロック図である。図１０に示すように、発光強度調整装置１４０では、パルス生成回路４５から発光素子１１０のリード１２４〜１２６に対してそれぞれパルス信号Ｓｒ，Ｓｇ，Ｓｂが与えられる点で、第１の実施形態に係る発光強度調整装置４０と異なるが、他の構成要素は同じである。したがって、発光強度調整装置１４０の構成要素のうち、発光強度調整装置４０と同一または相当する構成要素については、同一の参照符号を付してその説明を省略する。
【００９７】
発光強度調整装置１４０において、各ＬＥＤチップ１１〜１３の駆動電流値を表わすＰＷＭ信号がそれぞれＭＣＵ４３からパルス生成回路４５に与えられると、パルス生成回路４５は与えられたＰＷＭ駆動信号に基づいてパルス信号Ｓｒ，Ｓｇ，Ｓｂを生成する。そして、生成したパルス信号Ｓｒ，Ｓｇ，Ｓｂをそれぞれリード１２４〜１２６を介して発光素子１１０のＭＣＵ１５に与える。このように、発光強度調整装置１４０は、パルス信号Ｓｒ，Ｓｇ，Ｓｂを時分割で発光素子１１０に与える必要がないので、ＭＣＵ４３の処理負担を軽減することができる。
【００９８】
各ＬＥＤチップ１１〜１３の駆動電流値を発光素子１１０に内蔵されたフラッシュメモリ１６に書き込む処理は、第１の実施形態に係る発光強度調整装置４０によって発光素子１０のフラッシュメモリ１６に各ＬＥＤチップ１１〜１３の駆動電流値を書き込む処理と比べ、以下の点で異なる。すなわち、図５のステップＳ３および図７のステップＳ１７において、求めたＬＥＤチップの駆動電流値をパルス信号Ｓｒ，Ｓｇ，Ｓｂとして発光素子１１０に与えるときに、リード２３を介して時分割で与えるのではなく、ＬＥＤチップ１１〜１３ごとに設けられたリード１２４〜１２６を介して与える点で異なる。しかし、その他のステップは同じであるため、本実施形態ではフローチャートおよびその他のステップの説明を省略する。
【００９９】
＜２．  第２の実施形態＞
＜２．１  発光素子およびその動作＞
図１１は、本発明の第２の実施形態に係る発光素子２１０の構成を示すブロック図である。本実施形態に係る発光素子２１０の構成要素のうち、第１の実施形態に係る発光素子１０と同一または相当する構成要素については、同一の参照符号を付してその説明を省略する。
【０１００】
図１１に示す発光素子２１０では、発光素子１０と異なり、封止樹脂部材２０から２本のリード２１，２２だけが延びている。リード２１には外部から電源電圧となるプラス側の直流電圧が印加される。また、リード２２には、外部から電源電圧となるマイナス側の直流電圧が印加されるとともに、マイナス側の直流電圧に重畳させて各ＬＥＤチップ１１〜１３の駆動電流値がパルス信号Ｓｒ，Ｓｇ，Ｓｂとして与えられる。
【０１０１】
リード２１に印加されたプラス側の直流電圧は、ＬＥＤドライバ１４，ＭＣＵ１５およびフラッシュメモリ１６に与えられる。リード２２に印加された、マイナス側の直流電圧とそれに重畳されたパルス信号Ｓｒ，Ｓｇ，Ｓｂは、分配回路２１７によって、マイナス側の直流電圧とパルス信号Ｓｒ，Ｓｇ，Ｓｂに分離される。分離されたマイナス側の直流電圧は、ＬＥＤドライバ１４，ＭＣＵ１５およびフラッシュメモリ１６に与えられ、パルス信号Ｓｒ，Ｓｇ，ＳｂはＭＣＵ１５に与えられる。
【０１０２】
ＭＣＵ１５は、第１の実施形態に係る発光素子１０と同様にして、与えられたパルス信号Ｓｒ，Ｓｇ，Ｓｂに基づいて各ＬＥＤチップ１１〜１３の駆動電流値を求め、求めた駆動電流値をＬＥＤドライバ１４に与える。また、ＭＣＵ１５は、マイナス側の直流電圧に重畳させて外部から与えられた命令に基づいて、ＭＣＵ１５に与えられた各ＬＥＤチップ１１〜１３の駆動電流値をフラッシュメモリ１６に書き込んだり、書き込みを禁止したり、書き込み禁止を解除したりすることもできる。
【０１０３】
このように、第１の実施形態に係る発光素子１０の場合と異なり、発光素子２１０には、各ＬＥＤチップ１１〜１３の駆動電流値を表わすパルス信号Ｓｒ，Ｓｇ，Ｓｂを与えるための専用のリードを別に設ける必要がないので、リードの本数は従来の発光素子と同じく２本だけである。このため、発光素子２１０を、プリント基板の配線を変更することなく、従来の発光素子と置き換えて実装することができる。
【０１０４】
図１２は、発光素子２１０の封止樹脂部材２０の内部に封止された実装基板２３０を示す分解斜視図である。図１２に示す実装基板２３０の構成要素のうち、第１の実施形態に係る実装基板３０と同一または相当する構成要素については、同一の参照符号を付して説明を省略する。
【０１０５】
実装基板３０と異なり、実装基板２３０の下側の基板２３２には、電源電圧を印加するための２本のリード２１、２２だけが設けられており、また下側の基板２３２には、ＬＥＤドライバ１４，ＭＣＵ１５およびフラッシュメモリ１６に加えて、さらに分配回路２１７が設けられている。
【０１０６】
なお、発光素子２１０における赤色，緑色，青色の各ＬＥＤチップ１１〜１３とＬＥＤドライバ１４との接続関係は、図２に示す発光素子１０と同じであるため、回路図およびその説明を省略する。
【０１０７】
＜２．２  発光色制御システムの構成およびその動作＞
図１３は、発光素子２１０の発光色を調整する発光強度調整装置２４０を含む、発光色制御システムの構成を示すブロック図である。図１３に示すように、発光素子２１０の発光色を調整する発光強度調整装置２４０は、重畳回路２４６が追加されている点で、第１の実施形態に係る発光強度調整装置４０と異なるが、他の構成要素は同じである。したがって、発光強度調整装置２４０の構成要素のうち、発光強度調整装置４０と同一または相当する構成要素については、同一の参照符号を付してその説明を省略する。
【０１０８】
発光強度調整装置２４０は、パルス生成回路４５と電源回路５０とに接続された重畳回路２４６を備えている。重畳回路２４６は、電源回路５０から出力されるマイナス側の直流電圧に、パルス生成回路４５から出力される駆動電流値を表わすパルス信号Ｓｒ，Ｓｇ，Ｓｂを重畳させ、パルス信号Ｓｒ，Ｓｇ，Ｓｂが重畳されたマイナス側の直流電圧を発光素子２１０のリード２２に印加する。また、プラス側の直流電圧を、重畳回路２４６内で他の信号を重畳することなくリード２１に印加する。
【０１０９】
このように、発光強度調整装置２４０は、重畳回路２４６を備えているので、発光素子２１０にパルス信号Ｓｒ，Ｓｇ，Ｓｂを与えるための専用のリードが設けられていなくても、発光素子２１０にパルス信号Ｓｒ，Ｓｇ，Ｓｂを与えたり、ＭＣＵ１５に対して各種の命令を与えたりすることができる。
【０１１０】
図１４（Ａ）は重畳回路２４６の回路図であり、図１４（Ｂ）は分配回路２１７の回路図である。図１４（Ａ）に示す重畳回路２４６では、パルス生成回路４５の出力端は、コンデンサＣ１の一端に接続され、コンデンサＣ１の他端はコイルＬ１の一端と接続され、コイルＬ１の他端は接地される。コンデンサＣ１の他端とコイルＬ１の一端との接続点は、発光素子１０のリード２２に接続される。このような重畳回路２４６に、パルス生成回路４５からパルス信号Ｓｒ，Ｓｇ，ＳｂがコンデンサＣ１の一端に与えられれば、パルス信号Ｓｒ，Ｓｇ，Ｓｂをマイナス側の直流電圧に重畳させた信号が発光素子２１０のリード２２に与えられる。
【０１１１】
また、図１４（Ｂ）に示す分配回路２１７では、コンデンサＣ２の一方の端子とコイルＬ２の一方の端子は接続されて、その接続点に発光素子２１０のリード２２が接続される。コイルＬ２の他方の端子は、ＬＥＤドライバ１４，ＭＣＵ１５およびフラッシュメモリ１６に接続され、コンデンサＣ２の他方の出力端子はＭＣＵ１５に接続される。このような分配回路２１７では、マイナス側の直流電圧に重畳されたパルス信号Ｓｒ，Ｓｇ，Ｓｂが与えられると、マイナス側の直流電圧は、コンデンサＣ２によって遮断されるが、コイルＬ２を通過することができる。一方、パルス信号Ｓｒ，Ｓｇ，Ｓｂは、交流信号であるためコイルＣ２によって遮断されるが、コンデンサＣ２を通過することができる。このため、パルス信号Ｓｒ，Ｓｇ，Ｓｂが重畳されたマイナス側の直流電圧が重畳回路２４６に与えられると、マイナス側の直流電圧はコイルＬ２を通過して、ＬＥＤドライバ１４，ＭＣＵ１５およびフラッシュメモリ１６に与えられ、パルス信号Ｓｒ，Ｓｇ，ＳｂはコンデンサＣ２を通過してＭＣＵ１５に与えられる。なお、図１４（Ａ）に示す重畳回路２４６および図１４（Ｂ）に示す分配回路２１７はそれぞれ重畳回路および分配回路の一例であり、他の重畳回路および分配回路を使用してもよい。
【０１１２】
発光強度調整装置２４０のＭＣＵ４３が、各ＬＥＤチップ１１〜１３の駆動電流値を発光素子２１０に内蔵されたフラッシュメモリ１６に書き込む処理は、第１の実施形態に係る発光強度調整装置４０のＭＣＵ４３が、発光素子１０のフラッシュメモリ１６に各ＬＥＤチップ１１〜１３の駆動電流値を書き込む処理と比べ、以下の点で異なる。すなわち、図５のステップＳ３および図７のステップＳ１７において、ＬＥＤチップ１１〜１３の駆動電流値をパルス信号Ｓｒ，Ｓｇ，Ｓｂとして発光素子２１０に与えるときに、専用のリード２３を介して与えるのではなく、マイナス側の直流電圧に重畳させて与える点で異なる。しかし、その他のステップは同じであるため、本実施形態ではフローチャートおよびその他のステップの説明を省略する。
【０１１３】
なお、パルス生成回路４５で生成された、各ＬＥＤチップ１１〜１３に与えるべき駆動電流値を表わすパルス信号Ｓｒ，Ｓｇ，Ｓｂを、重畳回路２４６によってマイナス側の直流電圧に重畳させてリード２２に与えるのは、ＬＥＤドライバ１４、ＭＣＵ１５およびフラッシュメモリ１６がマイナス側の直流電圧を基準電圧にすることが多いからである。しかし、パルス信号Ｓｒ，Ｓｇ，Ｓｂは、マイナス側の直流電圧に重畳される場合に限定されず、プラス側の直流電圧に重畳されてリード２１に与えられてもよい。
【０１１４】
＜３．  第３の実施形態＞
＜３．１  発光素子およびその動作＞
図１５は、本発明の第３の実施形態に係る発光素子３１０の構成を示すブロック図である。本実施形態に係る発光素子３１０の構成要素のうち、第１の実施形態に係る発光素子１０と同一または相当する構成要素については、同一の参照符号を付してその説明を省略する。
【０１１５】
図１５に示す発光素子３１０は、アンテナ３１９およびアンテナ３１９に接続された受信回路３１８を備え、受信回路３１８はＭＣＵ１５に接続されている。発光素子３１０は、外部から送信され、各色成分のＰＷＭ信号に基づいて生成されたパルス信号Ｓｒ，Ｓｇ，Ｓｂを含む電波をアンテナ３１９で受信する。受信回路３１８は、受信した電波に含まれるパルス信号Ｓｒ，Ｓｇ，Ｓｂを分離してＭＣＵ１５に与える。ＭＣＵ１５は、与えられたパルス信号Ｓｒ，Ｓｇ，Ｓｂに基づいて各色成分ごとにＬＥＤチップ１１〜１３の駆動電流値を求め、求めた駆動電流値をＬＥＤドライバ１４に与える。
【０１１６】
また、発光素子３１０がＭＣＵ１５の動作を制御するための命令を表わす信号を含む電波をアンテナ３１９で受信すると、受信回路３１８は受信した電波に含まれる信号を分離してＭＣＵ１５に与える。ＭＣＵ１５は、分離された信号をＭＣＵ１５の動作を制御するための命令に変換し、変換した命令に基づいて、与えられた駆動電流値をフラッシュメモリ１６に書き込んだり、書き込みを禁止したり、書き込み禁止を解除したりする。
【０１１７】
なお、各色成分のＰＷＭ信号に基づいて生成されたパルス信号Ｓｒ，Ｓｇ，Ｓｂを含む電波をアンテナ３１９で受信して、各ＬＥＤチップ１１〜１３の駆動電流値をフラッシュメモリ１６に書き込むために、ＬＥＤドライバ１４、ＭＣＵ１５、フラッシュメモリ１６および受信回路３１８にそれぞれ電源電圧を与える必要がある。そこで、電源電圧をパルス信号Ｓｒ，Ｓｇ，Ｓｂと同様に外部からアンテナ３１９を介して与えてもよく、あるいは発光素子３１０のリード２１，２２を介して与えてもよい。このため、電源電圧が与えられていない複数の発光素子３１０や、プリント基板に実装された発光素子３１０のフラッシュメモリ１６に書き込まれたＬＥＤチップ１１〜１３の駆動電流値を書き換えることができる。
【０１１８】
図１６は、発光素子３１０の封止樹脂部材２０の内部に封止された実装基板３３０を示す分解斜視図である。図１６に示す実装基板３３０の構成要素のうち、第１の実施形態に係る実装基板３０と同一または相当する構成要素については、同一の参照符号を付して説明を省略する。
【０１１９】
実装基板３０と異なり、下側の基板３３２には電源電圧を与えるための２本のリード２１，２２が設けられるとともに、アンテナ３１９で受信された電波からパルス信号Ｓｒ，Ｓｇ，Ｓｂを取り出すための受信回路３１８が実装されている。また上側の基板３３１には各ＬＥＤチップ１１〜１３を囲むように、上側の基板３３１の周囲に沿って印刷された銅箔等の導体パターンからなるアンテナ３１９が形成されている。
【０１２０】
なお、アンテナは、上側の基板３３１または下側の基板３３２の空きスペースに形成されてもよく、あるいは上側および下側の基板とは別に、アンテナだけが形成された基板を実装基板３３０に追加してもよい。
【０１２１】
また、発光素子３１０における赤色、緑色、青色の各ＬＥＤチップ１１〜１３とＬＥＤドライバ１４との接続関係は、図２に示す発光素子１０と同じであるため、回路図およびその説明を省略する。
【０１２２】
＜３．２  発光色制御システムの構成およびその動作＞
図１７は、発光素子３１０の発光色を調整する発光強度調整装置３４０を含む、発光色制御システムの構成を示すブロック図である。図１７に示す発光強度調整装置３４０には、第１の実施形態に係る発光強度調整装置４０に送信回路３４７が設けられている。したがって、発光強度調整装置３４０の構成要素のうち、発光強度調整装置４０と同一または相当する構成要素については、同一の参照符号を付してその説明を省略する。
【０１２３】
発光強度調整装置３４０の電源回路５０から、リード２１にプラス側の直流電圧が印加され、リード２２にマイナス側の直流電圧が印加される。また、ＭＣＵ４３から出力される各ＬＥＤチップ１１〜１３の駆動電流値を表わすＰＷＭ信号に基づいてパルス生成回路４５で生成されたパルス信号Ｓｒ，Ｓｇ，Ｓｂが送信回路３４７に与えられる。送信回路３４７は、与えられたパルス信号Ｓｒ，Ｓｇ，Ｓｂを時分割して電波にのせ、アンテナ３４８から発光素子３１０に向けて送信する。また、送信回路３４７は、発光素子３１０のＭＣＵ１５に対する各種の命令を表わす信号が与えられた場合にも、同様にして発光素子３１０に向けて送信する。
【０１２４】
このように、発光素子３１０のフラッシュメモリ１６に駆動電流値を書き込む場合、発光素子３１０を発光強度調整装置３４０に装着する必要がない。このため、各ＬＥＤチップ１１〜１３の駆動電流値やＭＣＵ１５に対する各種の命令を、複数個の発光素子３１０に同時に与えたり、プリント基板に実装されている発光素子３１０に与えたりすることができる。
【０１２５】
発光強度調整装置３４０のＭＣＵ４３が、各ＬＥＤチップ１１〜１３の駆動電流値を発光素子３１０に内蔵されたフラッシュメモリ１６に書き込む処理は、第１の実施形態に係る発光強度調整装置４０のＭＣＵ４３が、発光素子１０のフラッシュメモリ１６に各ＬＥＤチップ１１〜１３の駆動電流値を書き込む処理と比べ、以下の点で異なる。すなわち、図５のステップＳ３および図７のステップＳ１７において、求めたＬＥＤチップ１１〜１３の駆動電流値をパルス信号Ｓｒ，Ｓｇ，Ｓｂとして発光素子３１０に与えるときに、リードを介して与えるのではなく、電波にのせて与える点で異なる。しかし、その他のステップは同じであるため、本実施形態ではフローチャートおよび他のステップの説明を省略する。
【０１２６】
＜第４の実施形態＞
図１８は、本発明の第４の実施形態に係る発光素子４１０の構成を示すブロック図である。本実施形態に係る発光素子４１０の構成要素のうち、第１の実施形態に係る発光素子１０と同一または相当する構成要素については、同一の参照符号を付して説明を省略する。
【０１２７】
第１の実施形態に係る発光素子１０では、各ＬＥＤチップ１１〜１３の駆動電流値をフラッシュメモリ１６に書き込む。この場合、フラッシュメモリ１６は書き換え可能なメモリであるため、一度書き込まれた駆動電流値を所望の電流値に書き換えることもできる。
【０１２８】
しかし、発光素子の用途によっては、一度書き込まれた駆動電流値を書き換える必要がない場合もある。この場合、書き換え可能なメモリであるフラッシュメモリのように、高価なメモリを使用するのではなく、一度だけ書き込むことが可能なマスクＲＯＭ（Read Only Memory）等の安価なメモリを使用することができる。また、外部からリードを介して各ＬＥＤチップ１１〜１３の駆動電流値を与える必要はないので、発光素子４１０は電源電圧を印加するために２本のリード２１，２２だけを備えていればよく、分配回路や受信回路等を備えている必要もない。このため、発光素子４１０の製造コストを低く抑えることができる。また、発光素子４１０には、電源電圧を与えるための２本のリード２１，２２が設けられていればよい。このため、プリント基板の配線を変更することなく、従来の発光素子を発光素子４１０に置き換えることができる。
【０１２９】
図１９は、発光素子４１０の封止樹脂部材２０の内部に封止された実装基板４３０を示す分解斜視図である。図１９に示す実装基板４３０の構成要素のうち、第１の実施形態に係る実装基板３０と同一または相当する構成要素については、同一の参照符号を付して説明を省略する。実装基板３０と同様に、実装基板４３０の下側の基板４３２には、電源電圧を与えるための２本のリード２１，２２が設けられており、またフラッシュメモリの代わりに、マスクＲＯＭ４１６が実装されている。
【０１３０】
なお、発光素子４１０では、マスクＲＯＭ４１６に書き込まれた各ＬＥＤチップ１１〜１３の駆動電流値を書き換えることができないので、発光強度調整装置は不要となり、それに要するコストを削減することができる。また、マスクＲＯＭの代わりに、ＯＴＰ（One Time Programmable ROM ）、ＰＲＯＭ（Programmable ROM）等、一度だけ書き込みができるメモリを使用してもよい。
【０１３１】
また、発光素子４１０における赤色、緑色、青色の各ＬＥＤチップ１１〜１３とＬＥＤドライバ１４との接続関係は、図２に示す発光素子１０と同じであるため、回路図およびその説明を省略する。
【０１３２】
＜５．変形例＞
図２０は、ＬＥＤチップの配置の変形例を示す図であり、図２０（Ａ）は、４個の赤色，緑色，青色のＬＥＤチップ５１１〜５１４の配置を示す図であり、図２０（Ｂ）は、図２０（Ａ）に示す各ＬＥＤチップ５１１〜５１４の接続関係を示す回路図である。基板５３１は、発光素子１０，１１０，２１０，３１０，４１０のそれぞれの上側の基板３１，１３１，２３１，３３１，４３１の代わりに使用される。図２０（Ａ）に示すように、基板５３１には、２個の赤色のＬＥＤチップ５１１，５１４と、緑色および青色のＬＥＤチップ５１２，５１３の合計４個のＬＥＤチップが実装されている。４個のＬＥＤチップ５１１〜５１４は、２個の赤色のＬＥＤチップ５１１，５１４が対角線方向に配置され、緑色および青色のＬＥＤチップ５１２，５１３は異なる対角線方向に配置されて、２行２列のマトリクスを形成している。
【０１３３】
また、図２０（Ｂ）に示すように、直列に接続された２個の赤色ＬＥＤチップ５１１，５１４，緑色および青色のＬＥＤチップ５１２，５１３は、それぞれＬＥＤドライバ１４に接続されている。
【０１３４】
このように、２個の赤色ＬＥＤチップ５１１，５１２を直列に接続してＬＥＤドライバ１４に接続するとともに、緑色および青色ＬＥＤチップ５１２，５１３をそれぞれ１個ずつＬＥＤドライバ１４に接続したのは、次の理由による。すなわち、赤色ＬＥＤチップ５１１，５１２の１個あたりの耐圧が緑色および青色ＬＥＤチップ５１２，５１３の耐圧と比べておよそ１／２程度しかないので、２個の赤色ＬＥＤチップ５１１，５１２を使用することによって緑色および青色ＬＥＤチップ５１２，５１３と同じように扱うためである。また、赤色の光を緑色および青色の光と同程度に明るくすることによって、それらが混色された発光素子の光を明るくするためである。
【０１３５】
また、上述の各実施形態では、ＬＥＤチップ１１〜１３が砲弾型の封止樹脂部材２０で封止された発光素子１０，１１０，２１０，３１０，４１０について説明した。しかし、これに限定されず、例えばＬＥＤチップを中空の透光性カバーで覆ったバブル型の発光素子や、透光性カバーの外面に複数の凹部が設けられ、その中にＬＥＤチップを収納した発光素子等、ＬＥＤチップに駆動電流を供給して発光させる発光素子であればよい。
【図面の簡単な説明】
【０１３６】
【図１】本発明の第１の実施形態に係る発光素子の構成を示すブロック図である。
【図２】図１の発光素子における各ＬＥＤチップの接続関係を示す回路図である。
【図３】図１の発光素子の実装基板を示す分解斜視図である。
【図４】図１の発光素子の発光色を調整するための発光強度調整装置を含む、発光色制御システムの構成を示すブロック図である。
【図５】図１の発光素子の発光色を調整するときの発光強度調整装置の動作を示すフローチャートである。
【図６】図１の発光素子の発光色を調整するときの発光強度調整装置の動作を示すフローチャートである。
【図７】図１の発光素子の発光色を調整するときの発光強度調整装置の動作を示すフローチャートである。
【図８】第１の実施形態の変形例に係る発光素子の構成を示すブロック図である。
【図９】図８の発光素子の実装基板を示す分解斜視図である。
【図１０】図８の発光素子の発光色を調整するための発光強度調整装置を含む、発光色制御システムの構成を示すブロック図である。
【図１１】本発明の第２の実施形態に係る発光素子の構成を示すブロック図である。
【図１２】図１１の発光素子の実装基板を示す分解斜視図である。
【図１３】図１１の発光素子の発光色を調整するための発光強度調整装置を含む、発光色制御システムの構成を示すブロック図である。
【図１４】（Ａ）は重畳回路の回路図であり、（Ｂ）は分配回路の回路図である。
【図１５】本発明の第３の実施形態に係る発光素子の構成を示すブロック図である。
【図１６】図１５の発光素子の実装基板を示す分解斜視図である。
【図１７】図１５の発光素子の発光色を調整するための発光強度調整装置を含む、発光色制御システムの構成を示すブロック図である。
【図１８】本発明の第４の実施形態に係る発光素子の構成を示すブロック図である。
【図１９】図１８の発光素子の実装基板を示す分解斜視図である。
【図２０】ＬＥＤチップの配置の変形例を示す図であり、（Ａ）は４個のＬＥＤチップの配置を示す図であり、（Ｂ）は（Ａ）に示す各ＬＥＤチップの接続関係を示す回路図である。
【符号の説明】
【０１３７】
１０、１１０，２１０，３１０，４１０…発光素子
１１〜１３，５１１〜５１４…ＬＥＤチップ
１４…ＬＥＤドライバ
１５，４３…ＭＣＵ
１６…フラッシュメモリ
２１，２２，２３，１２４〜１２６…リード
３０，１３０，２３０，３３０，４３０…実装基板
４１…サンプル側センサ
４２…サンプル側周波数変換回路
４５…パルス生成回路
５０…電源回路
５２…クローン側センサ
５３…クローン側周波数変換回路
６１…自動／手動切換部
６２…強度調整部
７１…サンプル側モニタ
７２…サンプル側ＬＥＤランプ
７３…クローン側モニタ
７４…クローン側ＬＥＤランプ
２１７…分配回路
２４６…重畳回路
３１８…受信回路
３１９，３４８…アンテナ
３４７…送信回路
４１６…マスクＲＯＭ
【図１】
2011222542.tif 000003
【図２】
2011222542.tif 000004
【図３】
2011222542.tif 000005
【図４】
2011222542.tif 000006
【図５】
2011222542.tif 000007
【図６】
2011222542.tif 000008
【図７】
2011222542.tif 000009
【図８】
2011222542.tif 000010
【図９】
2011222542.tif 000011
【図１０】
2011222542.tif 000012
【図１１】
2011222542.tif 000013
【図１２】
2011222542.tif 000014
【図１３】
2011222542.tif 000015
【図１４】
2011222542.tif 000016
【図１５】
2011222542.tif 000017
【図１６】
2011222542.tif 000018
【図１７】
2011222542.tif 000019
【図１８】
2011222542.tif 000020
【図１９】
2011222542.tif 000021
【図２０】
2011222542.tif 000022